【手続補正書】
【提出日】平成29年8月17日(2017.8.17)
【手続補正１】
【補正対象書類名】特許請求の範囲
【補正対象項目名】全文
【補正方法】変更
【補正の内容】
【特許請求の範囲】
【請求項１】
出力シャフトの周囲で動作可能、特に前記出力シャフトの周囲で振動動作可能であるツール受容デバイスを有する機械加工ツール、特に手動機械加工ツールであって、
前記ツール受容デバイスは前記出力シャフトおよびツール回転軸が実質的に一致するようにツールデバイスを保持するように構成され、
前記ツール受容デバイスは少なくとも１つのトルク伝達領域および保持デバイスを備え、
前記トルク伝達デバイスは、前記ツールデバイスへ駆動力を伝達するために、前記出力シャフトから空間的に離れた少なくとも２つの出力エリア領域を有し、前記少なくとも２つの出力エリア領域のそれぞれは複数の表面点を有し、
前記表面点に対する接平面が前記出力シャフトを含む軸平面に対して傾斜し、
前記接平面が前記出力シャフトに垂直に延伸する径平面に対して傾斜し、
１つの前記接平面の法線は前記出力シャフトの方向の径方向に向くことを特徴とする、機械加工ツール。
【請求項２】
少なくとも１つ、好ましくは複数、特に好ましくは全ての出力エリア領域が少なくとも実質的に平面部位内に存在する、または少なくとも部分的に湾曲していることを特徴とする、請求項１に記載の機械加工ツール。
【請求項３】
前記トルク伝達領域は、少なくとも第１の上部境界平面および少なくとも第２の下部境界平面を有し、前記上部境界平面および前記下部境界平面は前記出力シャフトに実質的に垂直に配置され、
前記上部境界平面および前記下部境界平面は空間的に離れ、
前記出力エリア領域のそれぞれは１つの前記第１の上部境界平面および１つの前記第２の下部境界平面の間に配置され、
好ましくは複数の、好ましくは全ての前記出力エリア領域は単一の第１の上部境界平面および単一の第２の下部境界平面の間で延伸することを特徴とする、請求項１または２に記載の機械加工ツール。
【請求項４】
前記トルク伝達領域は前記出力シャフトの周囲に回転的対称的に配置される複数の前記出力エリア領域を有することを特徴とする、請求項１から３のいずれか一項に記載の機械加工ツール。
【請求項５】
少なくとも２つ、好ましくは複数の前記出力エリア領域は対称平面に対称的に配置され、前記出力シャフトは前記対称平面内に位置し、より好ましくは、前記出力エリア領域は実質的に隣接して配置されることを特徴とする、請求項１から４のいずれか一項に記載の機械加工ツール。
【請求項６】
前記トルク伝達領域は、前記出力シャフトから径方向に離れて延伸した側壁を有し、前記側壁はエリア領域を備え、
前記側壁は好ましくは前記出力シャフトの周囲で実質的に閉じて径方向に延伸することを特徴とする、請求項１から５のいずれか一項に記載の機械加工ツール。
【請求項７】
全ての前記接平面の法線は前記出力シャフトの方向の前記径方向に向くことを特徴とする、請求項１から６のいずれか一項に記載の機械加工ツール。
【請求項８】
前記接平面および前記径平面間は角度αをなし、前記径平面は前記出力シャフトに垂直であり、前記角度αは好ましくは９０度より小さい、より好ましくは８０度より小さい、特に好ましくは７５度より小さい、より好ましくは前記角度αは０度より大きい、より好ましくは４５度より大きい、特に好ましくは６０度より大きい、より好ましくは前記角度αは６２．５度から７２．５度の範囲内であることを特徴とする、請求項１から７のいずれか一項に記載の機械加工ツール。
【請求項９】
前記接平面および前記軸平面間の角度は角度βであり、前記出力シャフトは前記軸平面内に存在し、前記角度βは好ましくは９０度より小さい、より好ましくは７０度より小さい、特に好ましくは６５度より小さい、
より好ましくは角度βは０度より大きい、より好ましくは１５度より大きい、特に好ましくは３０度より大きい、
より好ましくは角度βは実質的に３０度、４５度、または６０度であることを特徴とする、請求項１から８のいずれか一項に記載の機械加工ツール。
【請求項１０】
前記トルク伝達領域は偶数個の出力エリア領域、好ましくは４個以上、より好ましくは８個以上、特に好ましくは１６個以上、好ましくは６４個以下、より好ましくは４８個以下、特に好ましくは３２個以下の出力エリア領域を有することを特徴とする、請求項１から９のいずれか一項に記載の機械加工ツール。
【請求項１１】
前記出力エリア領域は実質的に星形形状であり、
好ましくは星形多角形状に配置され、前記多角形状は好ましくは４、６、８、または１０個の角部を有し、より好ましくは１２個以上の角部、またはより好ましくは１４、１６、１８、または２０個の角部を有することを特徴とする、請求項１から１０のいずれか一項に記載の機械加工ツール。
【請求項１２】
前記機械加工ツールはエンコーディングデバイスを有し、
前記エンコーディングデバイスは少なくとも第１の断面エリアを有し、
前記エンコーディングデバイスは実質的に前記断面エリアに垂直な方向の第１の延伸部を有し、好ましくは前記第１の延伸部は前記出力シャフトの方向に向き、
１つの前記エンコーディングデバイス、または複数の前記エンコーディングデバイスは好ましくは前記出力シャフトの周囲に回転的対称的に配置されることを特徴とする、請求項１から１１のいずれか一項に記載の機械加工ツール。
【請求項１３】
少なくとも１つの、好ましくは全ての前記エンコーディングデバイスの形状は少なくとも形状グループから選択され、前記形状グループは、少なくとも、
−  複数の角部、好ましくは３、４、５、６、７、８個以上の角部を有する多角形、
−  円、
−  楕円形
−  可変または一定半径の円弧、
−  これらの複数の形状の組合せ、
を備えることを特徴とする、請求項１２に記載の機械加工ツール。
【請求項１４】
前記保持デバイスは、デバイスグループから選択される少なくとも１つのデバイスを備える、または、前記保持デバイスは前記デバイスグループから選択される複数のデバイスの組合せを備え、前記デバイスグループは特に、
−  ネジデバイス、
−  つなぎばりデバイス（tie beam）、
−  フックデバイス、
−  クリップデバイス、
−  ラチェットデバイス（つめ車デバイス）、
−  バヨネット密着デバイス、
−  ロッキングプロジェクション（locking projections）を有するデバイス、
−  ボール部およびブロック部、および、特に球状キャップ凹部、等を有するデバイス、
を含むことを特徴とする、請求項１から１３のいずれか一項に記載の機械加工ツール。
【請求項１５】
請求項１から１４のいずれか一項に記載の機械加工ツールを有する機械加工ツールシステムであって、前記機械加工ツールは、前記機械加工ツールの出力シャフトおよびツール回転軸が実質的に一致するように、前記機械加工ツール上にツールデバイスを保持するツール受容デバイスを備えることを特徴とする、機械加工ツールシステム。
【請求項１６】
前記保持デバイスは前記ツールデバイス上で作用する力を伝達するための少なくとも１つの有効エリアを有し、
前記機械加工ツールの前記出力シャフトの方向から離れて対向する側面上において、前記有効エリアは保持デバイス境界平面によって制限され、前記ツールデバイスはツール接続領域およびツール回転軸を備え、前記ツール接続領域は少なくとも１つの側壁を備え、前記側壁は前記ツール回転軸に直交配置される第１の直交平面と第２の直交平面との間の軸方向に延伸し、前記側壁は前記ツール回転軸から径方向に離れて配置され、前記ツール回転軸の方向の軸延伸部を有し、
前記保持デバイスは作用表面領域内において、前記ツールデバイス上に力を作用させ、
前記力の作用は前記ツール回転軸の方向の少なくとも１つの成分を有することを特徴とする、請求項１５に記載の機械加工ツールシステム。
【請求項１７】
前記ツールデバイスを前記機械加工ツール上に取り付ける際に、前記ツール接続領域の前記第１の直交平面および前記第２の直交平面の間の、前記保持デバイスの境界平面および前記保持デバイスの前記作用表面内、好ましくは前記ツール駆動エリア領域の軸延伸部の領域内に、前記ツールデバイスを取り付けることを特徴とする、請求項１５または１６に記載の機械加工ツールシステム。
【請求項１８】
前記ツールデバイスの前記側壁は、前記ツール回転軸に対する第１の径方向距離および第２の径方向距離の間で、少なくとも部分的に径方向に延伸し、
少なくとも前記側壁は前記機械加工ツールから前記ツールデバイスへトルクを伝達するように構成されていることを特徴とする、請求項１５から１７のいずれか一項に記載の機械加工ツールシステム。
【請求項１９】
前記ツールデバイスの前記側壁はツール駆動エリア領域を有し、
前記側壁の少なくとも一部は前記トルク伝達領域の前記出力エリア領域への延伸接合部を有し、
前記ツール駆動エリア領域は、少なくとも前記一部において、前記出力エリア領域と好ましくは点接触、線接触、特に好ましくは面接触の形で接触することを特徴とする、請求項１５から１８のいずれか一項に記載の機械加工ツールシステム。
【請求項２０】
加工対象物上または加工対象物の配置上で作用するよう構成されている操作領域と、
駆動力を受けるよう構成されているツール装着領域と、
前記加工対象物に駆動力を伝達するように構成されているツール接続領域と、
を有する、
請求項１から１４のいずれか一項に記載の機械加工ツールと共に使用するための、ツールデバイス。